(57)【要約】  レンチキュラレンズシートを用いた装飾シートにおいて、画像形成層を構成する画像の絵柄に文字が含まれている場合でも、文字が認識しやすい装飾シートを提供する。  装飾シート（１０）は、レンチキュラレンズシート（１１）と、画像形成層とを備える。レンチキュラレンズシート（１１）は、複数のシリンドリカルレンズ（１５）により構成される。画像形成層は、第１画像（Ｐ１）、第２画像（Ｐ２）を有する。第１画像（Ｐ１）は、模様を表した画像であり、第２画像（Ｐ２）は、文字と、文字の背景として配置されるグラデーション模様とで構成される。
2019155938.tif 000002
【特許請求の範囲】
【請求項１】
凸形状を有するシリンドリカルレンズが複数配列され、前記凸形状とは反対側に平坦面を有するレンチキュラレンズシートと、
前記平坦面側に設けられ、第１画像と第２画像とを有し、前記第１画像は、帯状に分割された複数の第１分割画像で構成され、かつ、前記第２画像は、帯状に分割された複数の第２分割画像で構成された画像形成層とを備えており、
前記シリンドリカルレンズに対応する単位領域内には、前記第１分割画像と前記第２分割画像が、前記シリンドリカルレンズの配列方向に沿って配列されており、前記画像形成層は、前記レンチキュラレンズシートを介して観察する観察方向が変わることによって第１画像と第２画像とが切り替わり、
前記第１画像は、模様を表す画像であり、
前記第２画像は、線と、前記線の背景であるグラデーション模様とで構成される画像である装飾シート。
【請求項２】
前記線は、直線および／または曲線を含む線画、物品の形状、文字、サイン、およびシンボルマークのいずれかの構成要素として使用される請求項１に記載の装飾シート。
【請求項３】
前記画像形成層は、第１画像および第２画像に加えて、前記第１画像および前記第２画像に含まれる模様とは異なる模様を表す第３画像を有しており、
前記単位領域において、前記第１分割画像および前記第２分割画像に加えて、前記第３画像を帯状に分割した第３分割画像が配列されている請求項１または２に記載の装飾シート。
【請求項４】
前記グラデーション模様は、グレー階調で表される請求項１から３のいずれか１項に記載の装飾シート。
【請求項５】
前記グラデーション模様における濃淡変化は、連続的または段階的である請求項１から４のいずれか１項に記載の装飾シート。
【請求項６】
前記グラデーション模様における濃淡が変化する方向と、前記シリンドリカルレンズの配列方向が同じ方向である請求項４または５に記載の装飾シート。
【請求項７】
前記グラデーション模様は、無彩色である請求項１から６のいずれか１項に記載の装飾シート。
【請求項８】
前記第１画像の模様と、前記第２画像の前記線の色とが同系色であって、かつ、前記第２画像の前記線の背景となるグラデーション模様の色は、前記線の色に対して非同系色である請求項１から７のいずれか１項に記載の装飾シート。
【発明の詳細な説明】
【技術分野】
【０００１】
本発明は、レンチキュラーレンズを用いた装飾シートに関する。
【背景技術】
【０００２】
各種製品の装飾に用いられる装飾シートが知られている。装飾シートの中にはレンチキュラレンズシートを用いた装飾シートがある（例えば特許文献１および特許文献２参照）。レンチキュラレンズシートを用いた装飾シートは、レンチキュラレンズシートと画像形成層で構成される。レンチキュラレンズシートは、凸形状を有するシリンドリカルレンズが複数配列され、凸形状とは反対側に平坦面を有するシートである。画像形成層は、レンチキュラレンズシートの平坦面側に設けられる。画像形成層は、例えば、第１画像と第２画像の２つの画像を有し、第１画像は、帯状に分割された複数の第１分割画像で構成され、かつ、第２画像は、帯状に分割された複数の第２分割画像で構成される。【０００３】
１つのシリンドリカルレンズに対応する単位領域内には、第１分割画像と第２分割画像が１つずつ、シリンドリカルレンズの配列方向に沿って配列されている。レンチキュラレンズシートを介して観察する観察方向が変化すると、ユーザーが観察する角度がシリンドリカルレンズに対して変化する。そうすると、観察する角度に応じて、ユーザーに視認される画像が第１分割画像および第２分割画像のいずれか一方だけになる。これにより、視認される第１画像と第２画像の間で切り替わる。【０００４】
第１画像や第２画像の絵柄には、特許文献２に記載されているように、文字が含まれている場合もある。
【先行技術文献】
【特許文献】
【０００５】
【特許文献１】特開平１１−２１２０２４号公報
【特許文献２】特開２０１６−０３８４７６号公報
【発明の概要】
【発明が解決しようとする課題】
【０００６】
特許文献２に記載されているように、画像形成層が有する第１画像や第２画像の絵柄に、文字が含まれている場合には、次のような問題があった。例えば、第１画像の絵柄は模様で、第２画像の絵柄に文字である場合、第１画像と第２画像の切り替わり時に、第１画像の模様と第２画像の文字が視覚上混ざり合って視認性が低下する、いわゆるクロストークが生じる場合があった。クロストークが生じると、背景となる模様に文字が埋もれてしまい、文字の視認性が低下する。【０００７】
本発明は、レンチキュラレンズシートを用いた装飾シートにおいて、画像形成層を構成する画像の絵柄に文字が含まれている場合でも、文字が認識しやすい装飾シートを提供することを目的とする。
【課題を解決するための手段】
【０００８】
本発明の装飾シートは、レンチキュラレンズシートと、画像形成層とを備えており、１つのシリンドリカルレンズに対応する単位領域内には、第１分割画像と第２分割画像が１つずつ、シリンドリカルレンズの配列方向に沿って配列されており、画像形成層は、レンチキュラレンズシートを介して観察する観察方向が変わることによって第１画像と第２画像とが切り替わり、第１画像は、模様を表す画像であり、第２画像は、線と、線の背景であるグラデーション模様とを表す画像である。レンチキュラレンズシートは、凸形状を有するシリンドリカルレンズが複数配列され、凸形状とは反対側に平坦面を有する。画像形成層は、平坦面側に設けられ、第１画像と第２画像とを有し、第１画像は、帯状に分割された複数の第１分割画像で構成され、かつ、第２画像は、帯状に分割された複数の第２分割画像で構成されている。【０００９】
線は、直線および／または曲線を含む線画、物品の形状、文字、サイン、およびシンボルマークのいずれかの構成要素として使用される請求項１に記載の装飾シート。【００１０】
画像形成層は、第１画像および第２画像に加えて、第１画像および第２画像に含まれる模様とは異なる模様を表す第３画像を有しており、単位領域において、第１分割画像および第２分割画像に加えて、第３画像を帯状に分割した第３分割画像が配列されていることが好ましい。【００１１】
グラデーション模様は、グレー階調で表されることが好ましい。【００１２】
グラデーション模様における濃淡変化は、連続的または段階的であることが好ましい。【００１３】
グラデーション模様における濃淡が変化する方向と、シリンドリカルレンズの配列方向が同じ方向であることが好ましい。【００１４】
グラデーション模様は、無彩色であることが好ましい。【００１５】
第１画像の模様と、第２画像の線の色とが同系色であって、かつ、第２画像の線の背景となるグラデーション模様の色は、線の色に対して非同系色であることが好ましい。
【発明の効果】
【００１６】
本発明によれば、レンチキュラレンズシートを用いた装飾シートにおいて、画像形成層として第１画像と第２画像を有し、第１画像は、模様を表す画像であり、第２画像は、文字と、文字の背景として配置されるグラデーション模様とを表す画像であるから、第２画像の文字が認識しやすい
【図面の簡単な説明】
【００１７】
【図１】本発明の装飾シートの構成を示す斜視図である。
【図２】装飾シートを、シリンドリカルレンズを介して観察した場合に観察される画像を説明する説明図である。図２Ａは第１画像を示し、図２Ｂは第２画像を示す。
【図３】文字とグラデーション模様で構成される第２画像の説明図である。
【図４】グラデーション模様の濃淡が変化する方向の説明図である。
【図５】同系色の説明図である。
【図６】シリンドリカルレンズの単位領域内に配置される複数の分割画像の説明図である。
【図７】装飾シートをシリンドリカルレンズの配列方向に沿って切断した要部横断面図である。
【図８】装飾シートを腕時計の文字盤に使用した場合の説明図である。図８Ａは第１画像が視認される状態を示し、図８Ｂは第２画像が視認される状態を示す。
【図９】連続的な濃淡変化の説明図である。
【図１０】段階的な濃淡変化の説明図である。
【図１１】濃淡が変化する方向がシリンドリカルレンズの配列方向と一致する例の説明図である。
【図１２】第２実施形態の分割画像の説明図である。
【図１３】第２実施形態の装飾シートをシリンドリカルレンズの配列方向に沿って切断した要部横断面図である。
【図１４】第２実施形態の装飾シートを腕時計の文字盤に使用した場合の説明図である。図１４Ａは第１画像が視認される状態を示し、図１４Ｂは第２画像が視認される状態を示し、図１４Ｃは第３画像が視認される状態を示す。
【図１５】線を構成要素する文字列であって、意味のある単語を表す文字列が含まれる第２画像の説明図である。
【図１６】線を構成要素とする物品の形状が含まれる第２画像の説明図である。
【図１７】線を構成要素とする線画が含まれる第２画像の説明図である。
【図１８】装飾シートを自動車の内装品に貼り付けた例を示す斜視図である。
【図１９】装飾シートを湾曲させた状態を示す断面図である。
【発明を実施するための形態】
【００１８】
［第１実施形態］
図１に示すように、装飾シート１０は、レンチキュラレンズシート１１と、画像形成層１３とを備える。図１においては、便宜上、画像形成層１３とレンチキュラレンズシート１１とを分離した形態で示しているが、実際には、画像形成層１３はレンチキュラレンズシート１１の１面に形成されている。
【００１９】
レンチキュラレンズシート１１は、複数のシリンドリカルレンズ１５により構成されている。各シリンドリカルレンズ１５は、半円柱形の凸形状１５Ａを有し、この凸形状１５Ａとは反対側は平坦である。各シリンドリカルレンズ１５は、長手方向がＹ方向に延びており、隣接するシリンドリカルレンズ１５と平行に配列されている。すなわち、シリンドリカルレンズ１５は、Ｙ方向と直交するＸ方向に一定のピッチで配列されている。本例では、Ｘ方向は複数のシリンドリカルレンズ１５の配列方向である。レンチキュラレンズシート１１は、凸形状１５Ａとは反対側に平坦面１１Ａを有する。
【００２０】
レンチキュラレンズシート１１の材料としては、ＰＥＴ（ポリエチレンテレフタレート）、ＰＰ（ポリプロピレン）、ＰＥＴＧ（グリコール変性ポリエチレンテレフタレート）、ポリカーボネート、アクリル、アクリレート系樹脂などの透明な樹脂材料が用いられる。
【００２１】
画像形成層１３は、レンチキュラレンズシート１１の平坦面１１Ａ側に設けられている。画像形成層１３は、平坦面１１Ａに画像を印刷または転写することにより、平坦面１１Ａに直接形成されている。画像形成層１３の材料は、レンチキュラレンズシート１１の平坦面１１Ａに密着可能な材料であれば特に限定されず、公知の塗料等が用いられる。
【００２２】
なお、画像形成層１３をレンチキュラレンズシート１１に直接形成しなくてもよい。例えば、レンチキュラレンズシート１１とは別の透明シートに画像形成層１３を形成し、この透明シートを接着又は粘着などの方法を用いてレンチキュラレンズシート１１と接合してもよい。接着剤や粘着剤などの接合剤としては、レンチキュラレンズシート１１を介して画像形成層１３が観察できるように、透明な材料が用いられることが好ましい。
【００２３】
図２に示すように、画像形成層１３は、例えば、図２Ａに示す第１画像Ｐ１、図２Ｂに示す第２画像Ｐ２とで構成されている。第１画像Ｐ１は模様を表した画像であり、本例において模様はマーブル模様である。第２画像Ｐ２は、線と線の背景であるグラデーション模様とで構成される画像である。本例の第２画像Ｐ２においては、線は、文字の構成要素として使用されており、具体的には、「ＡＢＣＤＥ・・・」といった文字と、文字の背景として配置される１色のグラデーション模様とで構成される。
【００２４】
図３に示すように、第２画像Ｐ２は、例えば、絵柄がグラデーション模様の要素画像Ｐ２１と絵柄が文字の要素画像Ｐ２２とで構成され、これらが合成された画像である。すなわち、第２画像Ｐ２は、文字と、文字の背景となるグラデーション模様とを表した画像である。
【００２５】
図４に示すように、要素画像Ｐ２１は、濃淡変化があるグラデーション模様であり、グラデーション模様は下端が最も濃度が高く、上端に向かって濃度が低くなる。本例においては、グラデーション模様は、黒、灰色、白の無彩色であり、グレー階調で表されている。グラデーション模様の濃淡変化は連続的である。グラデーション模様における濃淡が変化する方向は、シリンドリカルレンズ１５の配列方向（Ｘ方向）に対して直交する方向（Ｙ方向）である。
【００２６】
要素画像Ｐ２２の文字は、少なくとも一部が、要素画像Ｐ２１のグラデーション模様と重なるように配置される。これにより、第２画像Ｐ２において、グラデーション模様が文字の背景となる。
【００２７】
また、第１画像Ｐ１の模様の色と文字の色は同系色である。この場合、第２画像Ｐ２において、要素画像Ｐ２２の文字の色と、文字の色の背景となる、要素画像Ｐ２１のグラデーション模様の色は非同系色である。
【００２８】
同系色は、図５に示すマンセル表色系の色相環を用いて定義される。色相環は、周知のように色の三属性（色相、彩度、明度）のうちの色相に関するものであり、有彩色の色味の分類を表す。ここで、同系色は、２０色に分割されたマンセル色相環において、１つの色相を基準色とした場合に、基準色のプラス方向（時計方向）とマイナス方向（反時計方向）に隣接する２色の範囲内に含まれる色を、基準色に対する同系色という。
【００２９】
例えば、基準色が、黄色の代表色相（５Ｙ）の場合、黄色の代表色相（５Ｙ）からプラス方向に隣接する２色の色相（１０Ｙと５ＧＹ）と、代表色相（５Ｙ）からマイナス方向に隣接する２色の色相（１０ＹＲと５ＹＲ）の範囲の色が、黄色の代表色相（５Ｙ）の同系色となる。青色の代表色相（５Ｂ）が基準色となる場合は、青色の代表色相（５Ｂ）を基準色としてプラス方向とマイナス方向に隣接する２色の色相の範囲が同系色の範囲となる。同系色以外の色が非同系色である。
【００３０】
また、基準色が有彩色の場合、基準色の非同系色の範囲には、白、グレー、黒の無彩色が含まれる。
【００３１】
本例では、第１画像Ｐ１の模様の色と、第２画像Ｐ２の文字の色は、ともに青色系の水色で、同系色である。第２画像Ｐ２１のグラデーション模様の色は無彩色であるので、文字の水色は色味を持つ有彩色であるから、有彩色の水色に対して無彩色は非同系色である。
【００３２】
図６に示すように、第１画像Ｐ１および第２画像Ｐ２は、それぞれ帯状に分割された複数の第１分割画像ＳＰ１および第２分割画像ＳＰ２で構成される。複数の第１分割画像ＳＰ１のそれぞれには、第１画像Ｐ１の絵柄の一部が描かれている。第２分割画像ＳＰ２についても同様である。
【００３３】
レンチキュラレンズシート１１の平坦面１１Ａ上において、第１分割画像ＳＰ１は、長手方向をＹ方向に沿って配置される。言い換えると、第１分割画像ＳＰ１は、長手方向が、シリンドリカルレンズ１５の長手方向（Ｙ方向）に沿って配置される。第２分割画像ＳＰ２についても同様である。
【００３４】
レンチキュラレンズシート１１の平坦面１１Ａにおいて、シリンドリカルレンズ１５に対応する各単位領域ＵＲには、第１分割画像ＳＰ１と第２分割画像ＳＰ２が１つずつ配置されている。すなわち、１つの単位領域ＵＲには、第１分割画像ＳＰ１と第２分割画像ＳＰ２の２つ１組の分割画像が配置されている。
【００３５】
単位領域ＵＲのＸ方向の幅は、シリンドリカルレンズ１５のＸ方向の幅に対応している。第１分割画像ＳＰ１と第２分割画像ＳＰ２の幅は同じである。
【００３６】
図７は、装飾シート１０のＸ方向の断面を示す。図７に示すように、装飾シート１０は、レンチキュラレンズシート１１の凸形状１５Ａを有する側から観察される。シリンドリカルレンズ１５の凸形状１５Ａは、その焦点が画像形成層１３に位置するように曲率が設定されている。
【００３７】
図７に示す各単位領域ＵＲ内において、左側から、第１分割画像ＳＰ１と第２分割画像ＳＰ２の順に配列される。各シリンドリカルレンズ１５の作用により、各単位領域ＵＲ内の第１分割画像ＳＰ１と第２分割画像ＳＰ２のうち、ユーザーに視認される画像は観察方向に応じて変化する。
【００３８】
装飾シート１０を、平坦面１１Ａに対する直交方向ＤＶから右側に傾斜した第１方向Ｄ１から画像形成層１３を観察すると、第１分割画像ＳＰ１のみが観察される。また、装飾シート１０を、直交方向ＤＶから左側に傾斜した第２方向Ｄ２から画像形成層１３を観察すると、第２分割画像ＳＰ２のみが観察される。
【００３９】
第１分割画像ＳＰ１には、第１画像Ｐ１のマーブル模様の絵柄の一部が形成されている。第２分割画像ＳＰ２には、第２画像Ｐ２の文字やグラデーション模様の一部が形成されている。
【００４０】
したがって、装飾シート１０は、レンチキュラレンズシート１１を介して観察する観察方向を、第１方向Ｄ１、第２方向Ｄ２の順に変化させることで、マーブル模様の絵柄の第１画像Ｐ１と、文字と文字の背景がグラデーション模様の絵柄の第２画像Ｐ２が順に観察される。
【００４１】
上記構成による作用について図８を用いて説明する。図８は、装飾シート１０を腕時計４１の文字盤に使用した例である。図８において、腕時計４１は、長針と短針が約１０時５分を示している。装飾シート１０は、長針と短針の背景となる文字盤に用いられる。装飾シート１０が用いられた文字盤に対する観察方向を変化させると、視認される画像が第１画像Ｐ１と第２画像Ｐ２に切り替わる。図８Ａは、第１画像Ｐ１が視認される状態を示し、図８Ｂは、第２画像Ｐ２が視認される状態を示す。
【００４２】
第１画像Ｐ１の絵柄は青色系のマーブル模様であり、第２画像Ｐ２の文字はマーブル模様と同系色である。そのため、第１画像Ｐ１のマーブル模様の色と第２画像Ｐ２の文字の色は混ざり合う。しかし、第２画像Ｐ２は、文字の背景として、文字の色に対して非同系色の無彩色のグラデーション模様を有している。そのため、第２画像Ｐ２の無彩色のグラデーション模様と第１画像Ｐ１の青色系のマーブル模様も混ざり合う。無彩色のグラデーション模様が青色系のマーブル模様と混ざり合うことにより、マーブル模様の色が変化する。もともとマーブル模様は文字と同系色であるが、マーブル模様はグラデーション模様と重なって、色相、明度、彩度のいずれかにおいて変色する。そのため、文字の色とマーブル模様の色の間で差が生じて、文字が背景に埋もれることが防止される。
【００４３】
すなわち、レンチキュラレンズシート１１を用いた装飾シート１０において、画像形成
層１３を構成する第２画像Ｐ２の絵柄に文字が含まれている場合でも、第１画像Ｐ１と第２画像Ｐ２の切り替わりの際に、第２画像Ｐ２の文字と第１画像Ｐ１のマーブル模様のクロストークが防止されるため、文字が認識しやすい。
【００４４】
本例においては、第１画像の模様の色と第２画像の文字の色とを同系色とし、第２画像のグラデーション模様の色を非同系色とした例で説明している。上述した理由から、色の組み合わせ方としては本例のような組み合わせが好ましい。
【００４５】
ただし、色の組み合わせ方はこれ以外でもよい。すなわち、第１画像の模様の色と第２画像の文字の色が非同系色でもよい。非同系色であっても、模様や文字の配置や大きさ等によっては、背景に文字が埋もれて文字の視認性が低下する場合もある。その場合には、第２画像のグラデーション模様を組み合わせることで、クロストークを抑制して文字の視認性を向上することができる。また、第２画像の文字の色と第２画像のグラデーション模様の色が同系色であってもよい。同系色であっても、色相、彩度、明度のいずれかにおいて差があれば、文字の視認性を向上する効果が期待できる場合もあるからである。
【００４６】
［変形例１］
また、本例においては、第２画像Ｐ２のグラデーション模様における濃淡変化が、図９に示すように、連続的である例で説明したが、濃淡変化は、図１０に示すように段階的でもよい。図９および図１０において、横軸の濃淡が変化する方向は、上記例においては、Ｙ方向である。グラデーション模様は、色がグレー階調で表現され、かつ、濃淡変化が連続的である方が、文字の背景として目立ちにくいため、好ましい。なお、グラデーション模様は、グレー階調であることが好ましいが、二値階調で表現してもよい。
【００４７】
［変形例２］
また、図１１に示すように、第２画像Ｐ２の要素画像Ｐ２１において、グラデーション模様における濃淡が変化する方向は、シリンドリカルレンズ１５の配列方向（Ｘ方向）と同じ方向でもよい。こうすると、第１画像Ｐ１と第２画像Ｐ２の切り替わりの際に、グラデーション模様の濃淡変化が自然な印象となる。
【００４８】
なお、グラデーション模様の濃淡が変化する方向は、シリンドリカルレンズ１５の配列方向（Ｘ方向）や配列方向と直交する方向（Ｙ方向）でなくてもよく、例えば、斜め方向でもよい。
【００４９】
［第２実施形態］
図１２から図１４に示す第２実施形態は、画像形成層１３に含まれる画像として、第１画像Ｐ１および第２画像Ｐ２に加えて、第３画像Ｐ３が追加される例である。第３画像Ｐ３は、絵柄として、第１画像Ｐ１および第２画像Ｐ２に含まれる模様とは異なる模様が表されている。第３画像Ｐ３の模様は、例えば、ドットパターンである。
【００５０】
図１２に示すように、画像形成層１３が第１画像Ｐ１から第３画像Ｐ３を有する場合は、第１分割画像ＳＰ１および第２分割画像ＳＰ２に加えて、第３画像Ｐ３を帯状に分割した第３分割画像ＳＰ３が生成される。
【００５１】
レンチキュラレンズシート１１の平坦面１１Ａにおいて、シリンドリカルレンズ１５に対応する各単位領域ＵＲには、第１分割画像ＳＰ１と第２分割画像ＳＰ２に加えて、第３分割画像ＳＰ３が１つずつ配置されている。すなわち、１つの単位領域ＵＲには、第１分割画像ＳＰ１、第２分割画像ＳＰ２、第３分割画像ＳＰ３の３つ１組の分割画像が配置されている。第３分割画像ＳＰ３のＸ方向の幅は、第１分割画像ＳＰ１および第２分割画像ＳＰ２の幅と同じである。
【００５２】
図１３は、装飾シート１０のＸ方向の断面を示す。図１３に示す各単位領域ＵＲ内において、左側から、第１分割画像ＳＰ１、第２分割画像ＳＰ２、第３分割画像ＳＰ３の順に配列される。各シリンドリカルレンズ１５の作用により、各単位領域ＵＲ内の第１分割画像ＳＰ１、第２分割画像ＳＰ２および第３分割画像ＳＰ３のうち、ユーザーに視認される画像は観察方向に応じて変化する。
【００５３】
装飾シート１０を、平坦面１１Ａに対する直交方向に相当する第２方向Ｄ２から右側に傾斜した第１方向Ｄ１から画像形成層１３を観察すると、第１分割画像ＳＰ１のみが観察される。また、装飾シート１０を、第２方向Ｄ２から画像形成層１３を観察すると、第２分割画像ＳＰ２のみが観察される。また、装飾シート１０を、直交方向である第２方向Ｄ２から左側に傾斜した第２方向Ｄ２から画像形成層１３を観察すると、第３分割画像ＳＰ３のみが観察される。
【００５４】
第１分割画像ＳＰ１と第２分割画像ＳＰ２は第１実施形態と同様である。第３分割画像ＳＰ３には、第３画像Ｐ３のドットパターンの一部が形成されている。
【００５５】
したがって、装飾シート１０は、レンチキュラレンズシート１１を介して観察する観察方向を、第１方向Ｄ１、第２方向Ｄ２、第３方向Ｄ３の順に変化させることで、マーブル模様の絵柄の第１画像Ｐ１と、文字と文字の背景がグラデーション模様の絵柄の第２画像Ｐ２と、ドットパターンの絵柄の第３画像Ｐ３が順に観察される。第３画像Ｐ３の模様の色は、第１画像Ｐ１の模様や第２画像Ｐ２の文字の色に対して、非同系色である。第３画像Ｐ３の模様の色は、例えば、赤色を主体とする複数色で構成されており、第１画像Ｐ１のマーブル模様や第２画像Ｐ２の文字の色である水色に対して非同系色である。
【００５６】
図１４は、第２実施形態の装飾シート１０を、腕時計４１の文字盤に使用した例である。図１４において、腕時計４１は、図８の例と同様に、長針と短針が約１０時５分を示している。装飾シート１０は、長針と短針の背景となる文字盤に用いられる。装飾シート１０が用いられた文字盤に対する観察方向を変化させると、視認される画像が第１画像Ｐ１と第２画像Ｐ２と第３画像Ｐ３の３つの画像に切り替わる。図１４Ａは、第１画像Ｐ１が視認される状態を示す。図１４Ｂは、第２画像Ｐ２が視認される状態を示す。図１４Ｃは、第３画像Ｐ３が視認される状態を示す。
【００５７】
第３画像Ｐ３のドットパターンの色は赤色系であるため、第１画像Ｐ１のマーブル模様や第２画像Ｐ２の文字の水色に対して、非同系色である。そのため、第１画像Ｐ１や第３画像Ｐ３から第２画像Ｐ２に切り替わる際に、文字がドットパターンに埋もれてしまうことはない。
【００５８】
このように、画像形成層１３を、第１画像Ｐ１、第２画像Ｐ２、第３画像Ｐ３の３つの画像で構成すると次のような効果が得られる。すなわち、一方向に観察方向を変化させると、例えば、第１画像Ｐ１、第２画像Ｐ２、第３画像Ｐ３の順に視認される画像が切り替わる。この場合、第１画像Ｐ１の模様と第３画像Ｐ３の模様の間に、第２画像Ｐ２の文字が視認される。この際に、文字の背景にはグラデーション模様があり、グラデーション模様が第１画像Ｐ１の模様と混ざり合って、第１画像Ｐ１の模様の色について、色相、彩度、明度のいずれかを変色させる効果を有する。そのため、第１実施形態と同様に、文字と模様のクロストークが抑制される。これにより、ユーザーに対して、第１画像Ｐ１と第３画像Ｐ３のそれぞれの異なる模様の変化を楽しませながら、各模様の切り替わりの際に浮き上がる第２画像Ｐ２の文字についても、各模様に埋もれることなく明瞭に視認させることができる。
【００５９】
上記各実施形態における画像形成層１３は１例であり、種々の変形が可能である。画像形成層１３としては、第１実施形態として示したとおり、少なくとも模様の絵柄を有する第１画像Ｐ１、文字とグラデーション模様を有する第２画像Ｐ２の１組の画像を有していればよい。しかし、第２実施形態に示したように、さらに第３画像Ｐ３を追加したり、第４画像や第５画像を追加するなど、３つ以上の画像を有する構成としてもよい。
【００６０】
上記各実施形態における第２画像は、線で文字を表す例、すなわち、線を文字の構成要素として使用する例で説明している。文字は、上記例のように「ＡＢＣＤ・・・」といった意味の無い文字列に使用されてもよいし、図１５に示すように、意味のある単語を表す文字列に使用されるものでもよい。図１５に示す第２画像Ｐ２の例では、線を表す要素画像Ｐ２２は、意味のある単語を表す文字列として、物品の普通名称である「りんご」を表す要素画像Ｐ２２である。
【００６１】
この他、第２画像Ｐ２は、文字に代えてまたはそれに加えて、サインやシンボルマークを表す画像でもよい。シンボルマークには、企業のシンボルマークであるコーポレートアイデンティティマークが含まれる。
【００６２】
また、図１６に示す要素画像Ｐ２２は、物品の形状の構成要素として線を使用したものであり、図１６に示す第２画像Ｐ２は、線を構成要素とする物品の形状と、物品の形状の背景となるグラデーション模様とで構成される画像である。図１６の要素画像Ｐ２２において、物品の形状は、具体的には、りんごの形状である。
【００６３】
また、図１７に示す要素画像Ｐ２２は、直線および／または曲線を含む線画の構成要素として線を使用したものであり、図１７に示す第２画像Ｐ２は、線を構成要素とする線画と、線画の背景となるグラデーション模様とで構成される画像である。図１７の要素画像Ｐ２２において、線画は、具体的には、円形、三角形、および四角形を表す。
【００６４】
以下、本発明の装飾シート１０の種々の使用形態について説明する。図１８は、装飾シート１０を、自動車２１の内装品に貼り付けた例を示している。装飾シート１０は、画像形成層１３側が内装品に接触するように貼り付けられる。
【００６５】
装飾シート１０は、例えば、自動車２１のステアリングホイール２２、ドアパネル２３、ダッシュボード２４などに貼り付けられる。装飾シート１０は、可撓性を有するので、貼り付け箇所の曲面に合わせて湾曲させた状態で貼り付けられている。例えば、図１８に示す例では、ダッシュボード２４の表面が曲面であり、この曲面形状に合わせて装飾シート１０を湾曲させている。図１９に示すように、レンチキュラレンズシート１１は可撓性を有しており、湾曲させることが可能である。
【００６６】
装飾シート１０の他の用途としては、例えば、カレンダの台紙として使用したり、壁を飾るウォールデコレーションなど、各種の飾り物に使用することも可能である。この他、スマートフォン、タブレットなどの電化製品の装飾や、家具などの物品の装飾に使用することも可能である。
【００６７】
また、第１画像Ｐ１や第２画像Ｐ２などの各画像の模様として、マーブル模様やドットパターンを例に説明したが、これらの模様に限らず、チェックパターンなど各種の模様を使用することが可能である。
【符号の説明】
【００６８】
１０  装飾シート
１１  レンチキュラレンズシート
１１Ａ  平坦面
１３  画像形成層
１５  シリンドリカルレンズ
１５Ａ  凸形状
２１  自動車
２２  ステアリングホイール
２３  ドアパネル
２４  ダッシュボード
４１  腕時計
Ｄ１  第１方向
Ｄ２  第２方向
Ｄ３  第３方向
ＤＶ  直交方向
Ｐ１  第１画像
Ｐ２  第２画像
Ｐ３  第３画像
ＳＰ１  第１分割画像
ＳＰ２  第２分割画像
ＳＰ３  第３分割画像
ＵＲ  単位領域
Ｗ、Ｗ１、Ｗ２  幅
【図１】
2019155938.tif 000003
【図２】
2019155938.tif 000004
【図３】
2019155938.tif 000005
【図４】
2019155938.tif 000006
【図５】
2019155938.tif 000007
【図６】
2019155938.tif 000008
【図７】
2019155938.tif 000009
【図８】
2019155938.tif 000010
【図９】
2019155938.tif 000011
【図１０】
2019155938.tif 000012
【図１１】
2019155938.tif 000013
【図１２】
2019155938.tif 000014
【図１３】
2019155938.tif 000015
【図１４】
2019155938.tif 000016
【図１５】
2019155938.tif 000017
【図１６】
2019155938.tif 000018
【図１７】
2019155938.tif 000019
【図１８】
2019155938.tif 000020
【図１９】
2019155938.tif 000021
【国際調査報告】
2019155938.tif 000022
2019155938.tif 000023
2019155938.tif 000024
2019155938.tif 000025